(57)【要約】      （修正有）【課題】成形緩衝材の天端面に付着した保護コンクリートのノロを容易にかつ確実に撤去することができ、成形緩衝材の天端面で固まったノロによる防水層の破断や押し上げといった事態を防止することができる防水層立ち上がり部保護用の成形緩衝材を提供する。【解決手段】防水層立ち上がり部の入隅に設置される成形緩衝材１であって、成形緩衝材本体２の天端面２ａに養生テープ３を貼り付けておき、保護コンクリート打設後に成形緩衝材本体２の天端面２ａから養生テープ３を剥がすことにより、成形緩衝材１から保護コンクリートのノロを撤去することができるようにした。【選択図】図２
0003229599.tif 000002
【実用新案登録請求の範囲】
【請求項１】
防水層立ち上がり部の入隅に設置される成形緩衝材であって、成形緩衝材本体の天端面に養生テープが貼り付けられていることを特徴とする防水層立ち上がり部保護用の成形緩衝材。
【請求項２】
前記成形緩衝材本体は樹脂発泡体からなり、前記養生テープの接着剤はアクリル系接着剤であって、接着力が２０Ｎ／２５ｍｍ以上であることを特徴とする請求項１に記載の防水層立ち上がり部保護用の成形緩衝材。
【考案の詳細な説明】
【技術分野】
【０００１】
本考案は、防水層立ち上がり部の入隅に設置される防水層立ち上がり部保護用の成形緩衝材に関する。
【背景技術】
【０００２】
従来、建物の屋上やバルコニーの防水構造として、図３に示すように、スラブ５の上面からパラペット６の内面に架けて防水層７が設けられ、スラブ５に設けられている防水層７の上に保護コンクリート層８が敷設され、パラペット６側の防水層立ち上がり部の入隅には、保護コンクリート層８の挙動による防水層立ち上がり部の損傷を防止するための成形緩衝材９が設置された構造が知られている（例えば、特許文献１、２参照。）。
【先行技術文献】
【特許文献】
【０００３】
【特許文献１】特開平１１−２１０１８０号公報
【特許文献２】特開２０１８−８７４４４号公報
【考案の概要】
【考案が解決しようとする課題】
【０００４】
上記した屋上やバルコニーの防水構造にあっては、スラブ５の上面からパラペット６の内面に架けて防水層７を設け、パラペット６側の防水層立ち上がり部の入隅に成形緩衝材９を設置した後、スラブ５に設けられている防水層７の上に保護コンクリートを打設して保護コンクリート層８を設けている。
【０００５】
防水層７の上への保護コンクリートを打設にあっては、保護コンクリートの打設面が成形緩衝材９の天端面９ａを超えない範囲とし、成形緩衝材９の天端面９ａが保護コンクリート層８から露出するようにしているが、保護コンクリートの打設の際、ノロ（セメントペースト）が成形緩衝材９の天端面９ａに付着してしまう場合がある。
【０００６】
このまま放置しておくと、保護コンクリート層８の挙動により成形緩衝材９が押されて圧縮されたとき、成形緩衝材９の天端面９ａ上で固まったノロが防水層７を破断しあるいは押し上げるといった事態が発生する事がある。
【０００７】
このような事態を防ぐためには、保護コンクリートの打設の際、ノロが成形緩衝材９の天端面９ａに付着しないように気を付け、また、付着したら拭き取るといった面倒な作業が強いられるといった問題がある。
【０００８】
本考案は、上記の点に鑑みなされたもので、成形緩衝材の天端面に付着した保護コンクリートのノロを容易にかつ確実に撤去することができ、成形緩衝材の天端面で固まったノロによる防水層の破断や押し上げといった事態を防止することができる防水層立ち上がり部保護用の成形緩衝材を提供することを目的とするものである。
【課題を解決するための手段】
【０００９】
上記の目的を達成するために請求項１に記載の考案は、防水層立ち上がり部の入隅に設置される成形緩衝材であって、成形緩衝材本体の天端面に養生テープが貼り付けられていることを特徴とする。
【００１０】
請求項１に記載の考案によれば、成形緩衝材本体の天端面に養生テープが貼り付けられているので、保護コンクリート打設後に成形緩衝材本体の天端面から養生テープを剥がすことにより、成形緩衝材から保護コンクリートのノロを確実に撤去することができる。
【００１１】
請求項２に記載の考案は、請求項１に記載の、前記成形緩衝材本体は樹脂発泡体からなり、前記養生テープの接着剤はアクリル系接着剤であって、接着力が２０Ｎ／２５ｍｍ以上であることを特徴とする。
【００１２】
請求項２に記載の考案によれば、前記成形緩衝材本体は樹脂樹脂発泡体からなり、前記養生テープの接着剤はアクリル系接着剤であって、接着力が２０Ｎ／２５ｍｍ以上であるので、独立気泡が表面に現れる前記成形緩衝材本体の天端面に、前記養生テープを簡単に剥離しない接着力をもって確実に接着することができる。
【考案の効果】
【００１３】
以上のように、本考案に係る防水層立ち上がり部保護用の成形緩衝材によれば、保護コンクリート打設後に成形緩衝材本体の天端面から養生テープ剥がすことにより、成形緩衝材から保護コンクリートのノロを確実に撤去することができ、成形緩衝材本体の天端面に付着したノロによる防水層の破断や押し上げといった事態を防止することができる。
【００１４】
そして、成形緩衝材本体からのノロの撤去は、前記のように、保護コンクリート打設後に成形緩衝材本体の天端面から養生テープを剥がすといった簡単な手段により行えるので、保護コンクリートの打設作業が容易になる。
【図面の簡単な説明】
【００１５】
【図１】本考案に係る防水層立ち上がり部保護用の成形緩衝材の実施の形態の一例を示す一部切欠き斜視図である。
【図２】成形緩衝材本体から養生テープを剥がす状態を示す説明図である。
【図３】従来知られている建物の屋上等の防水構造の一例を示す説明図である。
【考案を実施するための形態】
【００１６】
以下、本考案に係る防水層立ち上がり部保護用の成形緩衝材を実施するための形態を、図面を参照して詳細に説明する。
【００１７】
図１，図２は本考案に係る防水層立ち上がり部保護用の成形緩衝材の実施の形態の一例を示すものであり、図１は本例の成形緩衝材を示す一部切欠き斜視図、図２は成形緩衝材本体から養生テープを剥がす状態を示す説明図である。
【００１８】
本例の成形緩衝材１は、成形緩衝材本体２の天端面２ａに養生テープ３が貼り付けられている。
成形緩衝材本体２の材料にあっては、保護コンクリート層の挙動による防水層立ち上がり部の損傷を防止するために取り付けるものであり、弾性及び衝撃吸収性があれば特に限定されるものではなく、成形緩衝材として使用されている公知の材料が使用できる。本例では樹脂発泡体が使用されている。
【００１９】
また、成形緩衝材本体２の形状にあっては、防水層立ち上がり部の入隅の形状に応じた形状となっており、特に限定されない。本例では、長尺の板状体となっている。
また、養生テープ３にあっては、テープ本体が樹脂製であることがとが好ましい。本例では、テープ本体が手で切れやすいポリエチレンクロスが使用されている。
【００２０】
また、テープ本体に塗布される接着剤にあっては、テープ本体が成形緩衝材本体２の天端面２ａに剥離可能にかつ容易に剥離しないように接着できる接着力を有するものであれば特に限定されない。本例では、接着剤として、アクリル系接着剤であって、接着力が２０Ｎ／２５ｍｍ以上であるものが使用されている。
【００２１】
上記のように構成される成形緩衝材１によれば、成形緩衝材本体２の天端面２ａに養生テープ３が貼り付けられているので、保護コンクリート打設後に成形緩衝材本体２の天端面２ａから養生テープ３を剥がすことにより、成形緩衝材１から保護コンクリートのノロを確実に撤去することができる（図２参照。）。
【００２２】
そして、本例では、成形緩衝材本体２は樹脂樹脂発泡体からなり、養生テープ３の接着剤はアクリル系接着剤であって、接着力が２０Ｎ／２５ｍｍ以上であるので、独立気泡が表面に現れる成形緩衝材本体２の天端面２ａに、養生テープ３を簡単に剥離しない接着力をもって確実に接着することができる。
【符号の説明】
【００２３】
１  成形緩衝材
２  成形緩衝材本体
２ａ  天端面
３  養生テープ
【図１】
0003229599.tif 000003
【図２】
0003229599.tif 000004
【図３】
0003229599.tif 000005